(57)【特許請求の範囲】
【請求項１】
消費者物品のための容器であって、前記容器が、
ボックス前部壁と、ボックス後方壁と、前記ボックス前部壁と前記ボックス後方壁の間に延びる２つのボックス側壁とを含むボックス部分と、
内側フレーム前部壁および内側フレーム側壁を備える内側フレームとを備え、
前記内側フレーム前部壁が、前記ボックス前部壁に対して平行に、かつ所定の距離に配置され、
前記容器が少なくとも２つの対向する側端を含む追加的フラップをさらに備え、第一の側端が前記ボックス前部壁の上縁端に取り付けられており、第二の側端が前記内側フレーム前部壁の下縁端に接しており、
前記追加的フラップが前記ボックス前部壁の前記上縁端にヒンジで接続されており、
前記ボックス前部壁の前記上縁端と前記内側フレーム前部壁の前記下縁端との間に延びる前記追加的フラップが前記ボックス前部壁および前記内側フレーム前部壁と直交する向きとなるように、前記内側フレーム前部壁の前記下縁端が前記ボックス前部壁の前記上縁端と同じ高さである、容器。
【請求項２】
前記追加的フラップの長さが、前記ボックス前部壁と前記内側フレーム前部壁との間の距離に対応する、請求項１に記載の容器。
【請求項３】
前記追加的フラップが、前記第二の側端にあるその外側の角の少なくとも一つで少なくとも一つの突出部を含み、前記追加的フラップが前記内側フレーム前部壁に向かって折り畳まれた時に、前記突出部が前記内側フレーム側壁の接続タブの後ろに位置する、請求項１〜２のいずれか１項に記載の容器。
【請求項４】
前記内側フレーム前部壁が前記内側フレーム前部壁の剛性を高めるための補強手段を含む、請求項１〜３のいずれか１項に記載の容器。
【請求項５】
前記補強手段が前記内側フレーム前部壁の前記下縁端に取り付けられた補強用フラップであり、前記補強用フラップが上向きに１８０度折り畳まれ、前記内側フレーム前部壁の前記内側に接着される、請求項１〜４のいずれか１項に記載の容器。
【請求項６】
前記ボックス後方壁と前記内側フレーム前部壁の間にしっかりと保持される消費財の束をさらに備える、請求項１〜５のいずれか１項に記載の容器。
【請求項７】
消費財の前記束が内側ライナー内に包装される、請求項１〜６のいずれか１項に記載の容器。
【請求項８】
前記消費財が紙巻たばこである、請求項１〜７のいずれか１項に記載の容器。
【請求項９】
消費者物品用の容器を準備するためのプロセスであって、
（ａ）消費財の束を提供する工程と、
（ｂ）内側フレームを形成するためのブランクを提供する工程であって、前記内側フレームが内側フレーム前部壁および内側フレーム側壁を含む工程と、
（ｃ）前記内側フレームブランクから内側フレームを形成する工程と、
（ｄ）消費財の前記束上に前記内側フレームを配置する工程と、
（ｅ）前部壁、後方壁、および前記前部壁と前記後方壁の間に延びる２つの側壁、および少なくとも２つの対向する側端を持つ追加的フラップを含み、第一の側端が前記ボックス前部壁の上縁端に取り付けられている、ボックス部分を備えた、容器を形成するための主ブランクを提供する工程であって、前記追加的フラップが、前記ボックス前部壁の前記上縁端にヒンジで接続されている、工程と、
（ｆ）前記内側フレームおよび消費財の束の周りの前記主ブランクから容器を形成する工程と、
（ｇ）第二の側端が前記内側フレーム前部壁の前記下縁端と接するように、前記追加的フラップを折り畳む工程であって、前記ボックス前部壁の前記上縁端と前記内側フレーム前部壁の前記下縁端の間に延びる前記追加的フラップが前記ボックス前部壁および前記内側フレーム前部壁と直交する向きになるように、前記内側フレーム前部壁の前記下縁端が前記ボックス前部壁の前記上縁端と同じ高さである、工程とを含む、プロセス。
【請求項１０】
前記追加的フラップが前記ボックス前部壁の前記上縁端と前記内側フレーム前部壁の前記下縁端との間の前記隙間を覆うように、前記追加的フラップが前記容器の前記内部に向けて９０度折り畳まれる、消費者物品用の容器を準備するための請求項９に記載のプロセス。
【請求項１１】
前記追加的フラップが、工程（ｆ）の前に、すなわち前記容器が前記主ブランクから形成される前に９０度折り畳まれる、消費者物品用の容器を準備するための請求項１０に記載のプロセス。
【請求項１２】
前記追加的フラップが工程（ｆ）の後、すなわち前記容器が前記主ブランクから形成された後に９０度折り畳まれる、消費者物品用の容器を準備するための請求項１０に記載のプロセス。
【請求項１３】
補強用フラップが前記内側フレーム前部壁の前記下縁端に取り付けられ、前記補強用フラップが上向きに１８０度折り畳まれ、前記内側フレーム前部壁の前記内側に接着される、消費者物品用の容器を準備するための請求項９〜１２のいずれか１項に記載のプロセス。
【発明の詳細な説明】
【技術分野】
【０００１】
本発明は、消費者物品を収納するための新しい容器に関連する。本発明の容器には、細長い消費者物品用の容器として特定の用途がある。
【背景技術】
【０００２】
折り畳まれた層状ブランクから形成される容器内に消費者物品を包装することは周知である。例えば、紙巻たばこおよび葉巻たばこなどの細長い消費者物品は、一般に剛直なボックス型の容器に入れて販売されている。これらの容器は、リッドが容器の後方壁を横切って延びるヒンジ線でリッドがボックスに接続されているボックス部分を有するヒンジ付リッド容器でもよい。使用時、リッドはヒンジ線を中心として回転してパックを開き、ボックス内に保持されている喫煙物品へのアクセスを提供する。一部の場合に、容器は消費者物品の周りを部分的に包装する内側フレームをさらに含む。これは、容器に対してさらなる剛直性を提供するとともに、消費者物品を保護しうる。内側フレームがボックス部分の上縁端上に延びる場合、内側フレームは一般にそれに対してリッドを閉じることができるような表面も提供する。
【０００３】
容器が保持する消費者物品によって占められている容積よりもサイズが大きい内容積を持つ容器を提供するニーズがある。この過剰な内容積によって、未開封の容器の搬送中に物品が容器内部でずれたり揺すられたりすることになりうる。消費者物品が自由に動き回り、容器の搬送中に簡単に揺すられることになりうる。紙巻たばこの場合、これは、一部のルースなたばこ材料がたばこロッドから落ちたり、一部の紙巻たばこが破損したりすることになりうる。
【０００４】
第ＵＳ  ５，４３９，１０５号は、パック部分およびパック部分に旋回できるように接続されたリッドを持つ、薄い厚紙で作成されたヒンジリッドパックを開示している。カラー前部壁およびカラー側方タブで構成される一体型のカラーは、パック部分内に配置されている。カラーは、パック部分から部分的に突き出し、閉じた状態にあるリッドで囲まれている。カラー側方タブは、パック部分の側壁の内側の領域内に延びる。カラー前部壁の少なくとも中央部分の領域は、パック部分の前部壁に対して後退し、またパック部分の内部に２つの直立したチャンバーが創出されるように、パック部分の内部に、前部壁からある距離で、かつ前部壁に平行に配置される。少なくとも一つの物品は、カラー前部壁によって互いに分離され、かつパック部分の高さ全体に沿って延びる、それぞれの直立したチャンバー内に収容される。
【０００５】
第ＵＳ  ５，１５０，７２０号は、パック内容物がパックの内部スペースよりも深さが浅い状況に特に適切な、紙巻たばこ用のヒンジリッドパックを開示している。充填用の部品は、パック内に配置されたカラーからカラー前部壁を適切に折り畳むことにより形成される、保持用本体の形態で提供される。カラー前部壁の上部は、保持用の壁がパック内容物と隣接するように、内向きに後退している。カラー前部壁に接続されているカラー側方タブは、パックの内部スペースの深さ全体を横切って延び、保持用の側壁に接続される。
【０００６】
第ＧＢ  ２  １５１  ２１２  Ａ号は、紙巻たばこ用のヒンジリッドパックを開示している。パックは、リッド部分、ボックス部分および内側フレームを含む。完全なパックは、単一のブランクから形成される。内側フレームは、いわゆるＺ折りでボックス前部壁に直接接続される第一および第二の主なパネルを含む。したがって、内側フレーム前部壁およびボックス前部壁は平行に配置され、かつ互いに直接隣接する。
【０００７】
第ＥＰ  ２  ４３３  ８８１  Ａ１号は、その中に切り抜きを持つボックス前部壁を備えたボックス部分を含むヒンジリッド容器を開示している。容器は、ボックス内に取り付けられかつフレーム前部壁を持つ従来的な内側フレームをさらに含むが、ここでフレーム前部壁の一部はボックス前部壁内の切り抜き部分を貫通して露出されている。ヒンジリッドは、閉位置と開位置の間で旋回可能であり、リッド前部壁にヒンジで接続され、リッド前部壁の内部表面に向かって内向きに折り畳まれた追加的リッドフラップを備える。ヒンジ付リッドを閉じると、追加的リッドフラップがボックス前部壁の切り抜き部分に入り込み、内側フレーム前部壁に当たる。それによって、容器が適切に閉じたことを示す音が発生する。ヒンジリッドを開くと、追加的リッドフラップが切り抜き部分から解放された時に類似した音が発生する。
【０００８】
発生する音の可聴性を高めるために、追加的スペーサーフラップがボックス前部壁の上縁端に提供される。スペーサーフラップは、ボックス前部壁に向かって内向きに折り畳まれ、また適切な接着剤によってフレーム前部壁に取り付けられる。ボックス前部壁、スペーサーおよびフレーム前部壁は、それゆえ実質的に並列に配置される。スペーサーフラップの提供は、発生する音の可聴性を高めることを目指しており、容器の内容積の有意な減少にはつながらない。さらに、この文書は、スペーサーフラップの第二の端または下縁端が、内側フレーム前部壁の下縁端に接するとは教示していない。第一の消費者物品が容器から除去される前に、消費者物品が容器の内容積の所定部分内に効果的に保持されるように、消費者物品用の改良型の容器を提供することが望ましい。
【０００９】
こうした改良型の容器のための単純な解決策を持つことがさらに望ましいが、この解決策は、容器の製造のための従来的な製造用機械類の使用を許容するものである。
【００１０】
本発明による容器の構成要素の相対的位置を描写するために使用される「前部」、「後部」、「上部」、「下部」、「上方」、「下方」、「側面」、「側方」、「上部」、「底部」という用語およびその他の用語は、ボックス部分の開放端が上部にあり、消費財が前部の上縁端から出し入れ可能な、直立位置にある容器について言及するものである。「側面」および「側方」という用語は、容器をその直立位置で前部から見たときの容器の側壁に言及して使用される。
【発明の概要】
【００１１】
本発明によれば、消費者物品用の容器が提供されている。容器は、ボックス前部壁、ボックス後方壁、およびボックス前部壁とボックス後方壁の間に延びる２つのボックス側壁を含むボックス部分を備える。容器は、内側フレーム前部壁および内側フレーム側壁を備える内側フレームをさらに備えるが、ここで内側フレーム前部壁は、ボックス前部壁と平行に、また所定の距離に配置される。容器は、少なくとも２つの対向する側端を持つ追加的フラップをさらに備えるが、第一の側端はボックス前部壁の上縁端に取り付けられており、第二の側端は内側フレーム前部壁の下縁端に接している。
【００１２】
本発明の容器では、容器の有効な容量は、容器内で潜在的に利用可能なスペースよりも小さなサイズの消費者物品の照合部を包装するために簡単に適合されうる。内側フレーム前部壁の位置を修正することにより、容器の容量は、容器内に包装される消費者物品の照合部のサイズに簡単に調節されうる。ボックス前部壁と内側フレーム前部壁の間の隙間は、容器のブランクに提供される、追加的フラップによって覆われる。本発明の容器に使用されるブランクのさらなる修正は必要ない。従って、既に存在する従来的な機械類を、本発明の容器の製造用に主に使用することができる。
【００１３】
追加的フラップの第二の側端と内側フレーム前部壁の下縁端の間の接触は直接的な接触であり、これは追加的フラップが内側フレーム前部壁の下縁端に隣接することを意味する。その上、追加的フラップは、内側フレーム前部壁の下縁端が追加的フラップと接触している内側フレーム前部壁の唯一の部分であるように、内側フレーム前部壁の下縁端に下方から接触する。
【００１４】
追加的フラップの長さは、基本的にボックス前部壁の上縁端と内側フレーム前部壁の下縁端との間の距離に対応するように設計されることが好ましい。安定性および扱いやすさの理由で、追加的フラップはボックス前部壁の上縁端と内側フレーム前部壁の下縁端との間の距離よりもわずかに大きな長さを持ちうる。追加的フラップの長さは、追加的フラップの第二の側端（または遠端）が内側フレーム前部壁の下縁端の下に安全にロックされることを確保するために、ボックス前部壁の上縁端と内側フレーム前部壁の下縁端との間の距離よりも例えば約１ミリメートル大きくしうる。このようにすることで、消費者が内側フレーム前部壁に不注意に圧力をかけた時、または容器のわずかな変形が発生した時に、追加的フラップが内側フレーム前部壁の下縁端の下から外れるのを防止できる。
【００１５】
内側フレーム前部壁とボックス前部壁の間の所定距離は、１ミリメートル〜容器の深さの半分、好ましくは３ミリメートル〜容器の深さの三分の一、より好ましくは６ミリメートル〜容器の深さの三分の一、特に好ましくは８ミリメートル〜容器の深さの三分の一である。
【００１６】
本発明の内側フレームの構造では、消費者物品を保持するのに使用される容積は、容器の内容積よりも少なくとも１０パーセント、好ましくは少なくとも２０パーセント、さらに好ましくは少なくとも４０パーセント、特に好ましくは少なくとも５０パーセント小さい。
【００１７】
好ましい一つの実施形態において、追加的フラップは、ボックス前部壁の上縁端にヒンジで接続される。ブランク材料の自然な弾性から、ヒンジで接続された追加的フラップは、容器の内部に向けて曲げられた後で、ボックス前部壁に対して共直線の向きに戻る傾向にある。この自然な弾性は、追加的フラップが内側フレーム前部壁の下縁端にきっちりと隣接するよう確保する。同時に、内側フレーム前部壁は、追加的フラップがさらに上向きに曲がるのを防止する。
【００１８】
さらに好ましい実施形態において、内側フレーム前部壁の下縁端は、ボックス前部壁の上縁端と内側フレーム前部壁の下縁端との間に延びる追加的フラップがボックス前部壁および内側フレーム前部壁に直交する向きになるように、ボックス前部壁の上縁端と実質的に同じ高さである。この実施形態は、魅力的なデザインを持つだけでなく、また消費者は容器が消費者物品の包装に実際に必要なよりも大きいことにほとんど気付かない。
【００１９】
さらに好ましい実施形態において、追加的フラップは、第二の側端にあるその外側の角のうち少なくとも一つで少なくとも一つの突出部を含むが、その突出部は、追加的フラップが内側フレーム前部壁に向けて折り畳まれた時に、内側フレーム側壁の接続タブの後に位置する。突出部は、追加的フラップの第二の側端にあるそれぞれの外側の角に提供されることが好ましい。突出部は接続タブの後にロックされ、従って追加的フラップに追加的な安定性が提供される。突出部は、長方形の形状を有してもよく、または丸い縁部を有してもよい。突出部の幅は、内側フレームブランク材料の厚さに対応することが好ましい。
【００２０】
内側フレーム前部壁は、内側フレーム前部壁の剛性を高めるための補強手段を含むことが好ましい。有利な実施形態において、補強手段は、内側フレーム前部壁の下縁端に取り付けられた補強用フラップでもよく、補強用フラップは１８０度上向きに折り畳まれ、内側フレーム前部壁の内側に接着される。剛性をさらに高めるために、フラップを組み込むことができる。追加的な補強層は、内側フレーム自体と必ずしも同じ材料である必要はない。異なる材料の追加的な層は、内側フレーム前部壁に接着されうる。層は、厚紙、金属、プラスチックまたはその他の任意の適切な材料から作製されうる。
【００２１】
本発明の容器で使用される内側フレームは、第ＵＳ  ５，１５０，７２０号で開示されている同等な容器で使用される内側フレームよりも複雑でなく、従って製造がより簡単である。
【００２２】
容器は、消費者物品の照合部を含むことがさらに好ましく、これはボックス後方壁と内側フレーム前部壁の間にしっかりと保持される。消費者物品の照合部は、消費者物品の束が提供されるように、内側ライナー内に包装されることが好ましい。
【００２３】
本発明は、消費者物品用の容器を準備するためのプロセスにも関する。プロセスは、消費者物品の照合部を提供する工程と、内側フレームを形成するためのブランクを提供する工程とを含み、内側フレームは内側フレーム前部壁および内側フレーム側壁を備える。内側フレームブランクから内側フレームを折り畳んだ後、内側フレームは消費財の照合部上に配置される。プロセスは、ボックス前部壁と、ボックス後方壁と、ボックス前部壁とボックス後方壁の間に延びる２つの側方のボックス側壁とを持つボックス部分を少なくとも含む容器を形成するための主ブランクを提供する工程をさらに含む。追加的フラップは、少なくとも２つの対向する側端を含むものが提供されるが、第一の側端はボックス前部壁の上縁端に取り付けられている。プロセスは、内側フレームおよび消費財の照合部を主ブランクの周りに折り畳み、また追加的フラップの第二の側端が内側フレーム前部壁の下縁端に隣接するように追加的フラップを折り畳むことにより、主ブランクから容器を形成する工程をさらに含む。
【００２４】
追加的フラップは、追加的フラップがボックス前部壁の上縁端と内側フレーム前部壁の下縁端との間の隙間を覆うように、容器の内部に向けて９０度折り畳まれることが好ましい。
【００２５】
本発明のプロセスの一つの代替案において、追加的フラップは、容器のボックス前部壁が消費者物品の照合部および内側フレーム上に折り畳まれる前に９０度折り畳まれる。主ブランクの材料に柔軟性がなく、そのために、ボックス前部壁が消費者物品の照合部および内側フレーム上に折り畳まれる時に、追加的フラップの第二の端が内側フレーム前部壁の下縁端の下にすでに達するように追加的フラップが前もって折り畳まれなければならない場合に、この代替案は特に有用である。
【００２６】
プロセスの別の代替案において、追加的フラップは、容器のボックス前部壁が消費者物品の照合部および内側フレーム上に折り畳まれた後で９０度折り畳まれる。容器のブランク材料が厚紙または紙といった柔軟性のある材料である時、この代替案は特に有用である。この材料の自然な弾性から、追加的フラップの第二の端を内側フレームの下縁端の下に押すためにそれに対して圧力がかけられた時に、追加的フラップはわずかに曲がる。
【００２７】
少なくとも一つの補強用フラップが内側フレーム前部壁の下縁端に取り付けられ、プロセスが、少なくとも一つの補強用フラップを上向きに１８０度折り曲げる工程と、少なくとも一つの補強用フラップを内側フレーム前部壁の側部に接着する工程とをさらに含むことが好ましい。補強用フラップは、容器の内部に面した内側フレーム前部壁の側部に接着されることが好ましい。
【００２８】
上述のいずれかの実施形態で、容器には、例えば、紙巻たばこ、葉巻たばこまたはシガリロなどの細長い喫煙物品が充填されることが好ましい。当然のことながら、寸法を適切に選択することにより、本発明による容器は、異なる数の従来サイズ、キングサイズ、スーパーキングサイズ、スリムまたはスーパースリムの紙巻たばこ用に設計しうる。ただし、本発明による容器は、喫煙物品以外の多様な消費財とも使用できる。
【００２９】
本発明による容器は、閉位置と消費財を容器から取り出すことができる開位置との間でヒンジ線に沿って旋回可能なリッドを容器が含むように、ヒンジ付リッド式設計のものとしうる。これらの実施形態において、ヒンジリッドは、リッドが後方壁の一部をも含むように、ボックス部分の後方壁を横切って延びるヒンジ線に沿って旋回しうる。
【００３０】
ヒンジ付リッド容器と同様に、当業者であれば、本発明が代替的なデザイン（軟質パックなど）の容器、すなわち、より薄くより簡単に変形可能な材料（紙など）でできた層状ブランクから構成されるボックス部分を含む容器にも適用されうることを理解する。さらに、本発明は、容器を開くためのスライド機構を持つ容器にも都合良く適用されうる。
【００３１】
本発明による容器は、一般に従来的な方法で組み立てられる。すなわち、１つ以上の層状ブランクを消費財商品の周りで折り畳んで、容器を組み立てられた形状に保持するために層状ブランクの上にあるパネルをまとめてシールすることによる。これは、従来的な接着剤または粘着剤を使用して達成されうる。
【００３２】
本発明による容器は、長軸方向の直角の端および横断する直角の端を持つ直方体の形状のボックス部分を含みうる。別の方法として、ボックス部分は一つ以上の長軸方向の丸み付きの端、横断する丸み付きの端、長軸方向の面取り付きの端または横断する面取り付きの端、またはその組み合わせを含みうる。
【００３３】
ボックス部分の寸法の適切な選択によって、本発明による容器は、異なる合計数の喫煙物品、または異なる配置の喫煙物品を保持するよう設計しうる。例えば、その寸法の適切な選択によって、本発明による容器は、合計１０〜２０個の喫煙物品を保持するよう設計しうる。
【００３４】
容器内の喫煙物品は、喫煙物品の合計数に応じて、異なる並べ方で配置しうる。例えば、喫煙物品は、６、７、８、９または１０個の１列で配置しうる。別の方法として、喫煙物品は２列以上で配置しうる。２列以上の列は、同一の数の喫煙物品を含みうる。例えば、喫煙物品は、５、６、７、８、９もしくは１０個の２列、５もしくは７個の３列、または４、５もしくは６個の４列で配置しうる。別の方法として、２列以上の列は、互いに異なる数の喫煙物品を含む少なくとも２列を含みうる。例えば、喫煙物品は、５個の１列および６個の１列（５−６）、６個の１列および７個の１列（６−７）、７個の１列および８個の１列（７−８）、５個の中央の１列および６個の両外側の２列（６−５−６）、５個の中央の１列および７個の両外側の２列（７−５−７）、６個の中央の１列および５個の両外側の２列（５−６−５）、６個の中央の１列および７個の両外側の２列（７−６−７）、７個の中央の１列および６個の両外側の２列（６−７−６）、９個の中央の１列および８個の両外側の２列（８−９−８）、または６個の中央の１列、５個の一方の外側の１列および７個の一方の外側の１列（５−６−７）で配置しうる。
【００３５】
本発明による容器は、同一のタイプまたはブランドの、または異なるタイプまたはブランドの喫煙物品を保持しうる。さらに、フィルターなし喫煙物品および各種フィルターチップ付きの喫煙物品の両方を含みうるほか、異なる長さ（例えば、約４０ミリメートル〜約１８０ミリメートル）、直径（例えば、約４ミリメートル〜約９ミリメートル）の喫煙物品も含みうる。さらに、喫煙物品は、味覚の強度、引き出し抵抗および合計粒子状物質の送達が異なりうる。
【００３６】
本発明による容器の長さ、幅および奥行きは、閉位置での容器の結果的な全体的寸法が、２０本の紙巻たばこの典型的な使い捨てヒンジリッドパックの寸法と類似するような寸法としうる。
【００３７】
本発明による容器の高さは約６０ミリメートル〜約１５０ミリメートルであることが好ましく、高さが約７０ミリメートル〜約１２５ミリメートルであることがより好ましいが、ここで高さは、容器の上部壁から底部壁までを測定したものである。
【００３８】
本発明による容器の幅は約１２ミリメートル〜約１５０ミリメートルであることが好ましく、幅が約７０ミリメートル〜約１２５ミリメートルであることがより好ましいが、ここで幅は、容器の一方の側壁から他方の側壁までを測定したものである。
【００３９】
本発明による容器の奥行きは約６ミリメートル〜約１００ミリメートルであることが好ましく、奥行きが約１２ミリメートル〜約２５ミリメートルであることがさらに好ましいが、ここで奥行きは、容器の前部壁から後部壁までを測定したものである（ボックスとリッドの間のヒンジを含む）。
【００４０】
容器の高さ対容器の奥行きの比は、約０．３対１〜約１０対１であることが好ましく、約２対１〜約８対１であることがさらに好ましく、約３対１〜５対１であることが最も好ましい。
【００４１】
容器の幅対容器の奥行きの比は、約０．３対１〜約１０対１であることが好ましく、約２対１〜約８対１であることがさらに好ましく、約２対１〜３対１であることが最も好ましい。
【００４２】
本発明による容器は、例えば、高密度または低密度のポリエチレン、ポリプロピレン、方向性ポリプロピレン、ポリ塩化ビニリデン、セルロースフィルム、または従来的な方法でのその組み合わせの透明高分子フィルムで、収縮包装またはそれ以外の方法でオーバーラップされる。本発明による容器がオーバーラップされる場合、オーバーラッパーは１つ以上のティアテープを含みうる。さらに、オーバーラッパーは画像、消費者情報またはその他のデータとともに印刷しうる。追加的外側ラッパーは有利なことに、例えば、取り扱い中の摩損に対して容器の表面を保護しうる。
【００４３】
喫煙物品の群を収容するだけでなく、容器はさらに、例えば、マッチ、ライター、消火手段、口臭フレッシュまたは電子装置などのその他の消費者物品を含みうる。その他の消費者物品は、容器の外側に取り付けるか、容器内に喫煙物品に沿って容器の別の区画内に含めるか、またはその組み合わせとしうる。
【００４４】
本発明による容器の外部表面は、製造元またはブランドのロゴ、商標、スローガンおよびその他の消費者情報およびしるしで、印刷、エンボス加工、デボス加工またはその他の方法で装飾しうる。
【００４５】
本発明は以下の添付図面を参照しながら、例証としてのみであるがさらに説明する。
【図面の簡単な説明】
【００４６】
【図１】図１は、本発明による容器に使用される内側フレーム用の層状ブランクを示す。
【図２】図２は、折り畳んだ後の図１の内側フレームを示す。
【図３】図３は、紙巻たばこの照合部上に置かれた図２の内側フレームを示す。
【図４】図４は、図１および２の内側フレームで組み立てられるヒンジ付リッド容器用の層状ブランクを示す。
【図５】図５は、内側フレームおよび紙巻たばこの照合部の周りに形成される図４のブランクを示し、ここで追加的フラップはまだ折り畳まれていない。
【図６】図６は、追加的フラップが折り畳まれた後での、内側フレームおよび紙巻たばこの照合部の周りに形成される図４のパックブランクを示す。
【図７】図７は、内側フレーム前部壁およびボックス部分前部壁の上側端の断面図である。
【図８】図８は、内側フレーム前部壁およびボックス部分前部壁の上側端の断面図である。
【発明を実施するための形態】
【００４７】
図１および２は、折り畳み前（図１）および折り畳み後（図２）の内側フレーム用の層状ブランクを示す。層状ブランク１０は、内側フレーム前部壁１２および左右の内側フレーム側壁１４を含む。左右の内側フレーム側壁１４を折り目線１６に沿って折り畳むことにより、内側フレーム前部壁１２は、接続タブ１４ａの幅に対応した距離だけ、内側フレーム側壁１４の前方端１８から後退する。
【００４８】
内側フレーム前部壁１２の下側部分１２ｂは、折り目線１２ｃ（図２では矢印で示す）に沿って上向きに１８０度折り畳まれ、内側フレーム前部壁１２の上側部分１２ａに接着される補強用フラップを示す。従って、内側フレーム前部壁１２は、内側フレーム材料の二重の層から形成され、内側フレーム１０の堅さおよび安定性が増大する。
【００４９】
図３は、消費者物品２０の束上に配置された図２の内側フレーム１０を示す。消費者物品２０の束は内側ライナー２２によってラップされ、一般的に長方形の形状を持つ。内側フレーム１０の寸法は、消費者物品の束２０の寸法に対応する。したがって、束２０の幅は、内側フレーム側壁１４内に滑らかにフィットするような幅である。束２０の深さは、内側フレーム側壁１４の後方の端１４ｃと内側フレーム前部壁１２の間の距離によって画定される内側フレーム１０の深さに対応する。さらに、内側フレーム１０の上縁端１４ｂおよび束２０の上側面２４は、相互に対して整列される。
【００５０】
図４は、本発明によるヒンジリッドパック用の層状ブランク３０を示す。ブランク３０およびそれから製造されるヒンジリッドパックは、ボックス部分３１の領域内にボックス前部壁３２を有し、後者はボックス底部壁３４およびボックス後方壁３６と隣接する。側方のボックス側壁３８はそれぞれ互いに重なり合う２つの側方タブ３８ａおよび３８ｂによって形成される。ボックス前部壁３２に接続された側方タブ３８ｂは、外側に位置する。
【００５１】
ヒンジリッドパックのリッド部分４０は、リッド後方壁４２、リッド上部壁４４およびリッド前部壁４６で構成される。互いに重なり合うリッド側方タブ４８ａ、４８ｂは、リッド側壁４８の形成に役立つ。リッド部分４０は、ヒンジによる接続によって、リッド後方壁４２の領域でボックス部分３１の後方壁３６に接続されている。
【００５２】
追加的フラップ５０は、ボックス前部壁３２に隣接して提供されている。追加的フラップは、第一および第二の側端５２、５４を含む。追加的フラップ５０は、ブランク３０がパックに折り畳まれた時に、ボックス前部壁の上縁端３２に対応するボックス前部壁３２の端に隣接して提供される。図示した実施形態において、追加的フラップ５０の第一の側端５２は、ボックス前部壁３２の上縁端にヒンジで接続されている。
【００５３】
追加的フラップ５０の第二の端５４の角には、突出部５４ａが提供されている。ボックス部分が、紙巻たばこ束２０および内側フレーム１０上に折り畳まれた時、突出部は、接続タブ１４ａの後に位置し、追加的フラップ５０を望ましい位置に維持することを助ける。
【００５４】
図５では、図４のパックブランク３０が内側フレーム１０および消費者物品の束２０の周りに形成されている。内側フレーム１０の外側寸法は、容器のボックス部分３１の内側寸法に対応する。消費者物品の束２０は、内側フレーム側壁１４、内側フレーム前部壁１２およびボックス後方壁３６によって画定されたスペース内にしっかりと保持される。図５では、ボックス前部壁３２の上縁端に隣接して提供されている追加的フラップ５０は、内側フレーム前部壁１２に向かってまだ折り畳まれていない。
【００５５】
図６は、図５に示す容器に対応しており、ここでは、追加的フラップ５０が容器の内部に向かって９０度折り畳まれている。追加的フラップ５０の第二の側端５２は、追加的フラップ５０が内側フレーム前部壁１２とボックス前部壁３２の間の開口部を実質的に覆うように、内側フレーム前部壁１２の下縁端１２ｄに隣接する。
【００５６】
図７および８は、内側フレーム前部壁１２およびボックス前部壁３２の断面図を示す。ボックス前部壁の上縁端３２ａは、内側フレーム前部壁１２の下縁端１２ｄと実質的に同じ高さである。追加的フラップ５０を内側フレーム前部壁１２に向かって９０度折り畳むことにより、追加的フラップ５０の第二の側端５２が内側フレーム前部壁１２の下縁端１２ｄの下にロックされる。追加的フラップ５０の長さは、内側フレーム前部壁１２とボックス前部壁３２の間の距離に対応する。
【００５７】
追加的フラップ５０の折り畳みは、製造プロセスの異なる工程で、すなわちボックス前部壁３２が消費者物品２０の束上に折り畳まれる前または折り畳まれた後で実施されうる。図１〜７に図示した模範的な製造プロセスにおいて、追加的フラップ５０は、ボックス前部壁３２が消費者物品の束２０上に折り畳まれた後に折り畳まれる。容器の厚紙材料の自然な弾性から、追加的フラップ５０は、それに対して図７で太い矢印で示される圧力がかけられた時にわずかに曲がる。最終的に、追加的フラップ５０の第二の側端５２は、内側フレーム前部壁１２の下縁端１２ｄに達し、その下にロックされる。
【００５８】
別の方法として、追加的フラップ５０は、ボックス前部壁３２が消費者物品の束２０上に折り畳まれる前に、少なくとも９０度折り畳まれてもよい。ボックス前部壁３２を折り畳んだ後、追加的フラップ５０は、ボックス前部壁３２に対してその共平面の位置に戻る傾向にある。ところが、追加的フラップ５０の第二の側端５２が図８に示す通り内側フレーム前部壁１２の下縁端１２ｄに隣接した時に、追加的フラップ５０は止まる。
【図１】
0006702934.tif 000002
【図２】
0006702934.tif 000003
【図３】
0006702934.tif 000004
【図４】
0006702934.tif 000005
【図５】
0006702934.tif 000006
【図６】
0006702934.tif 000007
【図７】
0006702934.tif 000008
【図８】
0006702934.tif 000009